(57)【特許請求の範囲】
【請求項１】
建物の床面と壁面との境界を覆うようにして設けられた巾木台座に対して巾木を組み付けることで、前記巾木が該壁面の前記床面との境界に沿って横方向に延在させて前記壁面に対して固定されるようになっている巾木の固定構造であって、
前記巾木台座は、固定手段によって前記壁面に固定された固定板部と、この固定板部から上方に突出されて前記巾木が係合又は嵌合によって固定される巾木固定部と、前記固定板部から下方に突出されて前記床面に当接される当接片とを有し、
前記固定板部には該固定板部の他の部分に比べて曲げ耐力が小さく変形容易になっている変形部が形成されており、前記巾木台座を床面の不陸や凹凸に対応して曲げ変形することでほぼ全長にわたって前記当接片が前記床面に追従させて床面に当接されるようになっていることを特徴とする巾木の固定構造。
【請求項２】
前記巾木台座が合成樹脂による一体成形品であることを特徴とする請求項１記載の巾木の固定構造。
【請求項３】
前記巾木は、前記壁面に固定された前記巾木台座と、前記巾木台座よりも上方にて前記壁面に固定された上部受け部品とにそれぞれ組み付けることで、前記壁面に固定されるようになっていることを特徴とする請求項１又は２記載の巾木の固定構造。
【請求項４】
前記巾木の下部に形成された差し込み溝を、前記巾木固定部として前記固定板部から上方に延出された差し込み片に挿入、嵌合し、前記巾木の上部にて前記壁面に臨む側に形成された嵌合部を、前記上部受け部品に押し込み嵌合することで、前記巾木が前記壁面に対して固定されるようになっていることを特徴とする請求項３記載の巾木の固定構造。
【発明の詳細な説明】
【０００１】
【発明の属する技術分野】
本発明は、建物の床面と壁面との境界に沿って延在された巾木の固定構造に関するものである。
【０００２】
【従来の技術】
建物内装において、建物の床面と壁面との境界に沿って設けられる巾木としては、木製やプラスチック製のものが多用されている。この巾木は壁面に取り付けられるが、美観の確保等を目的として、下端が床面近くとなるようにして、床面との間に大きい隙間が生じないように配置される。
ところで、建物の床がコンクリート製や鉄筋コンクリート製である場合、床面に凹凸や不陸が存在することが多い。この場合、従来、巾木として軟質樹脂製のものを採用し、この巾木を床面の凹凸や不陸に馴染ませるようにして設置し、床面との間に隙間が生じることを防止したり、隙間を出来るだけ小さいものにする対策が多く採られている。
【０００３】
【発明が解決しようとする課題】
しかしながら、前述の軟質樹脂製の巾木は一般に化粧性に乏しいという不満があるため、より化粧性に優れた硬質樹脂製の巾木も提供されるようになってきている。しかし、硬質樹脂製の巾木では、床面の凹凸、不陸に対する追従性が充分に得られないため、床面に凹凸や不陸が存在する場合は、巾木と床面との間に生じた隙間をコンクリートの充填等によって埋めたり、若しくは床面の一部を削って平坦にする等の作業を必要し、施工に手間が掛かる。また、巾木の一部を削るなど、巾木を加工することも考えられるが、手間の掛かる作業であり、また化粧性の低下が避けられないといった問題もある。
【０００４】
本発明は、前述の課題に鑑みてなされたもので、優れた美観、良好な施工性を確保できる巾木の固定構造を提供することを目的とする。
【０００５】
【課題を解決するための手段】
請求項１記載の発明は、建物の床面と壁面との境界を覆うようにして設けられた巾木台座に対して巾木を組み付けることで、前記巾木が該壁面の前記床面との境界に沿って横方向に延在させて前記壁面に対して固定されるようになっている巾木の固定構造であって、前記巾木台座は、固定手段によって前記壁面に固定された固定板部と、この固定板部から上方に突出されて前記巾木が係合又は嵌合によって固定される巾木固定部と、前記固定板部から下方に突出されて前記床面に当接される当接片とを有し、前記固定板部には該固定板部の他の部分に比べて曲げ耐力が小さく変形容易になっている変形部が形成されており、前記巾木台座を床面の不陸や凹凸に対応して曲げ変形することでほぼ全長にわたって前記当接片が前記床面に追従させて床面に当接されるようになっていることを特徴とする。
請求項２記載の発明は、請求項１記載の巾木の固定構造において、前記巾木台座が合成樹脂による一体成形品であることを特徴とする。
請求項３記載の発明は、請求項１又は２記載の巾木の固定構造において、前記巾木は、前記壁面に固定された前記巾木台座と、前記巾木台座よりも上方にて前記壁面に固定された上部受け部品とにそれぞれ組み付けることで、前記壁面に固定されるようになっていることを特徴とする。
請求項４記載の発明は、請求項３記載の巾木の固定構造において、前記巾木の下部に形成された差し込み溝を、前記巾木固定部として前記固定板部から上方に延出された差し込み片に挿入、嵌合し、前記巾木の上部にて前記壁面に臨む側に形成された嵌合部を、前記上部受け部品に押し込み嵌合することで、前記巾木が前記壁面に対して固定されるようになっていることを特徴とする。
【０００６】
【発明の実施の形態】
以下本発明の１実施の形態を図面を参照して説明する。
図１、図２は本発明に係る実施の形態の化粧壁体１を示す図であって、図１は正面図、図２は断面図である。
図１、図２において、符号２、３は縦枠、４は化粧縦材、７は巾木ユニット、８は上見切ユニット、９は化粧パネル、１０は建物躯体の壁面（以下「壁面」）である。
この実施の形態は、本発明に係る巾木の固定構造を、いわゆる腰壁を構成する化粧壁体１の下端の巾木ユニット７に適用した例である。
【０００７】
図１、図２において、前記化粧壁体１では、壁面１０の下部にて床１５の床面１５ａに沿わせるようにして壁面１０の横方向に延在させて組み立てられた巾木ユニット７と、この巾木ユニット７の上方にて該巾木ユニット７とほぼ平行に壁面１０の横方向に沿って壁面１０に組み立てられた上見切ユニット８と、これら巾木ユニット７及び上見切ユニット８の間にて壁面１０の横方向（図１左右）に離間して配置され上下方向に延在されている一対の縦枠２、３とによって囲まれる領域に、複数枚の化粧パネル９が壁面１０の横方向に横並びに配列配置されている。前記化粧縦材４は、横並びに隣り合う化粧パネル９間の接合部を覆うようにして配置されている。
【０００８】
図２〜図４に示すように、巾木ユニット７は、壁面１０に対してその横方向に沿って延在配置させて固定された長尺の巾木台座７１と、この巾木台座７１よりも上方にて前記巾木台座７１に沿って横方向に延在させて壁面１０に固定された長尺の上部受け部品７２と、これら巾木台座７１及び上部受け部品７２に組み付けられることで壁面１０に固定され、壁面１０の横方向に沿って延在された巾木７３とを有している。
【０００９】
前記巾木台座７１は、硬質樹脂によって形成された一体成形品であり、前記壁面１０に固定された固定板部７１ａと、この固定板部７１ａの上端から外面側（壁面１０に対する逆側）に立ち上げられるとともに上方に突出されたＬ字状の差し込み片である巾木固定部７１ｂ（以下「差し込み片」と称する場合がある）と、前記固定板部７１ａから外面側に立ち上げられるとともに下方に突出されたＬ字状の当接片７１ｃとを有し、前記当接片７１ｃを床面１５ａに当接させて位置決めして、前記固定板部７１ａを該固定板部７１ａを貫通して壁１２に打ち込まれた釘やビス等の固定部品である固定手段７４（ここではビス。以下、固定部品７４と称する場合がある）によって壁面１０に固定されている。
巾木台座７１としては、ＭＤＦ（中質繊維板）切削加工品、発泡プラスチック成型品、硬質プラスチック成型品、集成材切削加工品、合板切削加工品等が採用可能である。
【００１０】
前記上部受け部品７２は、壁面１０に固定された固定板部７１ａと、この固定板部７１ａから外面側に立ち上げられた２つの嵌合片７２ｂとを有しており、前記固定板部７１ａを貫通させて壁１２に固定された固定部品７４によって壁面１０に固定されている。前記嵌合片７２ｂは、上部受け部品７２の長手方向全長にわたって延在するリブ状になっている。
【００１１】
図４に示すように、この巾木ユニット７は、まず、前記巾木７３の下部に開口部を有して該巾木７３内に上方へ切り込んだ形状の差し込み溝７３ａを、前記巾木台座７１の差し込み片７１ｂに上方から挿入、嵌合し、次いで、前記巾木７３の上部を壁面１０に向けて押圧して、該巾木７３上部の前記壁面１０に臨む面（裏面）に開口された嵌合部７３ｂである嵌合溝を、前記上部受け部品７２の嵌合片７２ｂに押し込み嵌合することで組み立てられ、これにより前記巾木７３が前記壁面１０に対して固定される。また、巾木７３は、巾木台座７１の差し込み片７１ｂのバネ力によって壁面１０に押え込まれるため、ぐらつき等も確実に押えられ、固定状態が安定する。このように、巾木ユニット７は、巾木台座７１や上部受け部品７２に対する巾木７３の組み付け（詳細には、前述のように、差し込み片と差し込み溝の嵌合、嵌合片と嵌合溝の嵌合）によって、簡単に短時間で組み立てることができる。巾木７３の裏面には必要に応じて接着剤７５を設けて、この接着剤７５の接着力によっても壁面１０との固定力を確保することも可能である。
【００１２】
巾木７３の具体的構成について説明すると、巾木７３は、樹脂製の長尺プレートの部材であり、表側の意匠面７３ｉ（図２参照）に対向する裏面７３ｊ（図２参照）を壁面１０に向けるようにして断面長手方向（図２上下）を壁面１０の上下方向にほぼ一致させた姿勢で設けられ、巾木台座７１の当接片７１ｃを除くほぼ全体及び上部受け部品７２を外側から覆うようになっている。また、巾木７３は、美観の確保の点から、前記巾木台座７１と同様の硬質樹脂から形成することが好ましい。
この巾木７３は、下部の差し込み溝７３ａを巾木台座７１から上方に立ち上げられた差し込み片７１ｂに上方から挿入嵌合し、裏面７３ｊ側上部に形成されている嵌合部７３ｂ（嵌合溝）を前記巾木台座７１の上方にて壁面１０に組み付けられている上部受け部品７２に嵌合固定することで、所定の姿勢を維持して壁面１０に対して組み付けられる。また、巾木７３は、裏面７３ｊ側の複数箇所に形成された凹所７３ｋによって、壁面１０に存在する突起との干渉を極力回避できることから、壁面１０に存在する突起等に乗り上げて傾いたりぐらつく等の不都合を防止でき、所望の姿勢での安定な設置状態を容易に得ることができる。
【００１３】
この巾木ユニット７では、巾木台座７１の差し込み面７１ｂの嵌合によって巾木７３の水平方向（壁面１０から離間する方向）への変位が確実に防止され、上部受け部品７２の嵌合片７２ｂの嵌合によって巾木７３の上下方向への変位が確実に防止されるため、巾木７３が何等かの外力の作用によって不用意に離脱するといった不都合を確実に防止できるといった利点もある。
【００１４】
図２に示すように、壁面１０に組み立てられた巾木ユニット７の巾木７３の上端部に突設された押さえ片７３ｃと壁面１０との間にて上方開口して巾木７３の長手方向に沿って延在する差し込み溝７８には、該巾木ユニット７の直上の壁面１０に据え付けるようにして施工される化粧パネル９の下端部が差し込まれている。化粧パネル９の下端部は、巾木７３の押さえ片７３ｃによって壁面１０に押え込まれている。前記差し込み溝７８は、巾木７３の長手方向全長にわたって該巾木７３の上端の裏面（壁面１０に対面される面）側を抉った形状の溝条７３ｅによって形成されている（図４参照）。この差し込み溝７８に差し込まれた化粧パネル９は、前記溝条７３ｅの底面７３ｆ（図２、図４中、溝条７３ｅの下端に位置する面）に突き当たったところでそれ以上の下方への押し込みが規制され、上下方向での据え付け位置が決まる。
なお、化粧パネル９の下端部は、壁面１０に巾木ユニット７を組み立てた後、差し込み溝７８に上方から差し込むことで、簡単に壁面１０に押え込むことができる。化粧パネル９下端部の差し込み溝７８への差し込みは、圧入であることがことが好ましく、これにより、差し込み後、壁面１０に対する押え込み状態が安定を確保できる。
【００１５】
組み立てられた巾木ユニット７では、巾木７３の下端に突出された延長部７３ｄが、前記巾木台座７１の固定用の固定部品７４の打ち込み位置を外側から覆うとともに、巾木７３の下端と床面１５ａとの間の隙間が巾木台座７１の当接片７１ｃによってほぼ塞がれた状態となるので、優れた美観が得られる。前記巾木台座７１の当接片７１ｃは、巾木台座７１の長手方向全長にわたって延在形成されているから、建物の床面と壁面との境界を露出させることなく確実に覆うことができる。
【００１６】
ところで、図３（ａ）、（ｂ）に示すように、前記巾木台座７１の固定板部７１ａの上下方向中央部には、該巾木台座７１の長手方向全長にわたって複数の穴７１ｄが連設されている領域である変形部７１ｅが存在する。巾木台座７１の変形部７１ｅを介して対向する両側に存在する部分は、前記変形部７１ｅの前記穴７１ｄを避けた部分（連結部７１ｆ）のみによって連結されており、巾木台座７１は変形部７１ｅによって曲げ変形されやすくなっている。固定板部７１ａを壁面１０に固定する固定部品７４は、この穴７１ｄに貫通させて壁１２に到達、固定される。
【００１７】
変形部７１ｅは固定板部７１ａの他の部分に比べて、巾木台座７１の長手方向での断面二次モーメントが小さく、いわば曲げ強度、曲げ耐力が小さく、曲げ変形が容易になっている。しかも、図３（ａ）、（ｂ）において具体的には、前記各穴７１ｄは、巾木台座７１の長手方向に沿って細長い長穴であり、変形部７１ｅでは連結部７１ｆの占める領域を穴７１ｄの占める領域に比べて非常に小さくしてあるので、固定板部７１ａの他の部分との対比で、変形部７１ｅの曲げ耐力はかなり小さくなっている。したがい、この巾木ユニット７では、図４に例示したコンクリート製の床１５の上面（床面１５ａ）に凹凸や不陸が存在する場合であっても、巾木台座７１の前記変形部７１ｅの変形によって、該巾木台座７１の当接片７１ｃを床面１５ａに追従させて当接させることができ、巾木７３と床面１５ａとの間の隙間を当接片７１ｃによって極力露出しないように塞ぐことができ優れた美観を確保できる。
【００１８】
巾木台座７１は、変形部７１ｅ以外の部分は変形部７１ｅに比べて変形しにくい。このため、巾木台座７１は床面１５ａの凹凸や不陸に変形部７１ｅの変形によって対応できるものの、当接片７１ｃには強度が確保されており、例えば、床面１５ａ上へのタイル（主として塩ビタイル）やクッションフロアー等の敷き込み作業によって当接片７１ｃが変形してしまう等の不都合を防止でき、良好な納まりを容易に実現できるといった利点がある。
なお、本発明者等による検証結果では、アルミニウム等の比較的軟質の金属で巾木台座を形成しても、床面の凹凸や不陸に対する当接片の追従性は充分に確保できない。また、軟質樹脂に比べて優れた美観が得られる硬質樹脂製の巾木台座でも、前述の穴７１ｄ（図３（ａ）、（ｂ）参照）やスリット（後述。図１１（ａ）、（ｂ）の符号７１１ａ参照）等によって形成された変形部を有するものでないと、床面の凹凸や不陸に対する当接片の追従性は充分に確保できない。そして、これらの検証結果に鑑みて、本発明者等は、床面の凹凸や不陸に対する当接片の追従性、化粧性を充分に確保できる構成として、硬質樹脂製の巾木台座において、穴やスリット等の形成によって変形容易になっている変形部を有する構成を見出したのである。なお、固定板部に形成する変形部としては、固定板部に穴やスリット等を形成した部分に限定されず、例えば、薄肉部の形成や屈曲成形部の形成や湾曲成形部の形成等によっても可能である。
【００１９】
図２、図５、図６（ａ）、（ｂ）に示すように、上見切ユニット８は、壁面１０に横方向に延在固定した長尺プレート状の取り付け部品８１の外面８１ａ側に、該取り付け部品８１を外側から覆う長尺プレート状の上見切８２を組み付けた構成になっている。また、この上見切ユニット８は、前記取り付け部品８１を壁面１０に固定することで該取り付け部品８１から下方に突出されている押さえ片８３によって化粧パネル９の上端部を壁面１０に押え込んでから、取り付け部品８１に上見切８２を組み付けるようになっているため、取り付け部品８１による化粧パネル９の壁面１０への押さえ込み作業を、上見切８２と干渉させることなく、効率良く行うことができる。
【００２０】
上見切ユニットの具体的構造としては各種採用可能である。
図２、図５、図６（ａ）、（ｂ）に示す上見切ユニット８では、前記取り付け部品８１は、金属板を加工したものであり、壁面１０に固定される長尺プレート状の固定板部８４と、この固定板部８４の断面長手方向（図２上下、図５上下、図６（ａ）、（ｂ）上下）の一端から外面８１ａ側に突出された係止片８５と、固定板部８４の断面長手方向他端から外面８１ａ側に立ち上げられるとともに前記固定板部８４を介して前記係止片８５に対する逆側へ延出されたＬ字状の前記押さえ片８３とを有しており、前記押さえ片８３を下側、前記係止片８５を上側として、前記固定板部８４を釘やビス８４ｂ等によって壁面１０に固定することで、壁面１０に固定されるようになっている。係止片８５や押さえ片８３は、固定板部８４の長手方向全長にわたって延在する突条状になっている。
【００２１】
上見切８２は、合成樹脂によって形成された一体成形品であり、長尺プレート状の上見切本体８６と、この上見切本体８６の断面長手方向（図２上下、図５上下、図６（ａ）、（ｂ）上下）の複数箇所において該上見切本体８６から、上見切８２の前記取り付け部品８１に装着される装着面８２ａ側に突出された突壁８７、８８、８９とを有しており、上見切本体８６の断面長手方向一端（図５中上端）から突出されている突壁８７に形成されている嵌合溝８７ａを、取り付け部品８１の係止片８５に挿入、嵌合し、別の突壁８８を、取り付け部品８１の押さえ片８３の固定板部８４からの立ち上げ部８３ａの側面に上側から当接することで、取り付け部品８１の外面８１ａ側に組み付けられている。上見切８２は、上見切本体８６の断面長手方向を壁面１０の上下方向にほぼ一致させて設けられ、取り付け部品８１を外側から覆うようになっている。
【００２２】
突壁８７の嵌合溝８７ａを取り付け部品８１の係止片８５に挿入、嵌合し、突壁８８を、押さえ片８３の固定板部８４からの立ち上げ部８３ａと係合片８５との間に挿入すると、立ち上げ部８３ａと係合片８５との間の離間距離８１ｂに対する、嵌合溝８７ａと突壁８８との間の距離の関係によって、突壁８８が取り付け部品８１の押さえ片８３の立ち上げ部８３ａの側面に圧接される。したがって、前記上見切８２は、壁面１０に固定された取り付け部品８１に対してその外面側から押し込むことで、取り付け部品８１に対して簡単に組み付けることができる。また、取り付け部品８１に装着された上見切８２の下端から装着面８２ａ側に突出されている突壁８９は、化粧パネル９に当接されることで上見切８２の押し込み限界を設定し、上見切８２を所望の姿勢に維持するストッパとしての機能を果たす。
突壁８７の嵌合溝８７ａに取り付け部品８１の係止片８５が挿入、嵌合されると、係止片８５表面に形成されている凹凸が嵌合溝８７ａ内面に食い込むようになり、嵌合状態が安定に確保され、充分な引き抜き抵抗が確保される。また、押さえ片８３の固定板部８４からの立ち上げ部８３ａに圧接された突壁８８も、前記立ち上げ部８３ａ側面の凹凸によって位置ずれが防止されるとともに、引き抜き抵抗が充分に確保される。
なお、前記突壁８７、８８、８９は、上見切本体８６の長手方向全長にわたって延在する突条状になっており、上見切８２の補強リブ等としての機能も果たす。
【００２３】
巾木ユニット７の巾木台座７１、巾木７３、上見切ユニット８の取り付け部品８１、上見切８２の長さは適宜調整され、壁面１０の出隅や入り隅では、上見切８２同士が極力隙間無く接合されるようにする。但し、専用の化粧縦材を用いて、巾木７３同士、上見切８２同士を接続し、出隅１０ａや入り隅での各部材の納まり、見栄えを良好にすることがより適切である。
【００２４】
図７は、出隅１０ａにおいて、巾木ユニット７の巾木７３同士を接続する出隅ユニット１００を示す。この出隅ユニット１００は、出隅１０ａに対応する断面Ｌ字状の取り付け部品１０１と、この取り付け部品１０１に係合してその外面１０１ａ側に組み付けられた断面Ｌ字状の化粧縦材１０２とを有している。図８では、化粧縦材１０２の上下方向の寸法（図８上下方向）は、巾木ユニット７の巾木７３の上下寸法とほぼ一致され、巾木７３とほぼ連続する意匠面を形成するが、本発明はこれに限定されず、化粧縦材としては、出隅において巾木７３同士を連結する位置から上見切まで到達する長さを有して、化粧パネル９同士の出隅での接合部を覆う化粧縦材（図８に例示した化粧縦材５２の機能）を兼ねるものを採用することも可能である。取り付け部品１０１は、外面１０１ａ側に組み付けられた化粧縦材１０２によって外側から覆われる。
【００２５】
前記取り付け部品１０１は、Ｌ字の屈曲部１０１ｂから両側に延出する各固定板部１０３、１０４を釘やビス１０５等で壁１２に固定することで、壁面１０に固定されている。各固定板部１０３、１０４の屈曲部１０１ｂからの延出先端の外面１０１ａ側には、化粧縦材１０２との係合用の係合片１０６が突出されている。前記化粧縦材１０２は、合成樹脂から形成された一体成形品であり、Ｌ字の屈曲部１０２ａから両側に延出する側板部１０７、１０８を有しており、各側板部１０７、１０８の先端にて装着面１０２ｂに開口して形成されている係合溝１０９を、前記取り付け部品１０１の各固定板部１０３、１０４の係合片１０６に挿入、係合（ここでは嵌合）することで、取り付け部品１０１に対して組み付けられている。取り付け部品１０１の各固定板部１０３、１０４の係合片１０６は、固定板部１０３、１０４から取り付け部品１０１の屈曲部１０１ｂ側に折り返すようにして傾斜されており、化粧縦材１０２の各側板部１０７、１０８先端に形成されている係合溝１０９も、装着面１０２ｂにおける開口部から屈曲部１０２ａに向けて斜めに傾斜されている。
【００２６】
化粧縦材１０２は、屈曲部１０２ａを取り付け部品１０１の屈曲部１０１ｂに一致させるようにして取り付け部品１０１に向けて押し込んで、各側板部１０７、１０８の係合溝１０９に、取り付け部品１０１の各固定板部１０３、１０４の係合片１０６を挿入させることで、取り付け部品１０１に対して簡単に組み付けられる。また、化粧縦材１０２は、各側板部１０７、１０８の屈曲部１０２ａからの延出先端に形成されている押さえ片１１０によって、巾木ユニット７の巾木７３の長手方向端部を壁面１０に押え込んでいる。この押さえ片１１０は、具体的には、巾木ユニット７の巾木７３の長手方向端部に形成されている係合片７９と係合して、化粧縦材１０２に対する巾木７３の押し込み（屈曲部１０２ａ方向への押し込み）及び引き抜きを防止する係合片としての機能も果たしている。
【００２７】
取り付け部品１０１の屈曲部１０１ｂはＵ字状に形成されており、取り付け部品１０１の両固定板部１０３、１０４は、この屈曲部１０１ｂのＵ字の両端１０１ｃ、１０１ｃ間の仮想中心Ｐを中心として、例えば９０度等の所望の内角θを以って異なる２方向に延在されている。前記屈曲部１０１ｂは、仮想中心Ｐから、両固定板部１０３、１０４間の内角側に対する外角側に突出された形状になっている。取り付け部品１０１に組み付けられた化粧縦材１０２は、屈曲部１０２ａの装着面１０２ｂ側に形成された凹所１１１に、前記取り付け部品１０１の屈曲部１０１ｂを収納しており、取り付け部品１０１に対して壁面１０の横方向に沿った方向への位置ズレが生じにくくなっている。
また、取り付け部品１０１に対する化粧縦材１０２の組み付け時に、取り付け部品１０１の屈曲部１０１ｂを化粧縦材１０２の凹所１１１に収納することで、取り付け部品１０１の両固定板部１０３、１０４の係合片１０６に対する化粧縦材１０２の各側板部１０６、１０７の挿入嵌合（係合溝１０９への係合片１０６の収容）作業を、取り付け部品１０１に対する化粧縦材１０２の位置ズレを生じさせること無く、円滑に効率良く行うことができるといった利点がある。前記凹所１１１は化粧縦材１０２の延在方向全長にわたって延在する溝条であり、前記取り付け部品１０１の屈曲部１０１ｂは、化粧縦材１０２の延在寸法より若干短い程度の延在寸法を有しており、前記屈曲部１０１ｂを凹所１１１に収容すると、取り付け部品１０１の屈曲部１０１ｂに対して化粧縦材１０２の屈曲部１０２ａを簡単に位置決めすることができ、取り付け部品１０１に対する化粧縦材１０２の嵌合作業を円滑に行える。
さらに、化粧縦材１０２の押さえ片１１０と各巾木ユニット７の巾木７３の係合片７９との係合位置は上下に調整自在にしてある。このため、床面１５ａの不陸等によって出隅１０ａの両側の巾木７３の設置位置が上下方向に若干異なっていても、この出隅ユニット１００の化粧縦材１０２による巾木７３同士の連結や、巾木７３同士の接合部の化粧縦材１０２による隠蔽を実現できる。
【００２８】
図８に示すように、出隅１０ａにおいては、前記出隅ユニット１００の化粧縦材１０２と、この化粧縦材１０２の上側にて、出隅１０ａにおける化粧パネル９間の接合部を覆うようにして上下に延在配置された化粧縦材５２とが、上下に略隙間無く配置され、上下にほぼ連続する意匠面を形成しており、優れた美観が得られている。また、図示を略すが、出隅１０ａを介して左右両側の上見切ユニット８の上見切８２間の接続にも、前記出隅ユニット１００が適用されており、この出隅ユニット１００の化粧縦材１０２も、その下側の化粧縦材５２と上下に略隙間無く配置され、上下にほぼ連続する意匠面を形成しており、優れた美観が得られている。
【００２９】
両縦枠２、３や化粧縦材４は、いずれも巾木ユニット７の巾木７３と上見切ユニット８の上見切８２との間で上下に延在配置されており、巾木７３と上見切８２との間に殆ど隙間等を生じること無く、これら巾木７３や上見切８２とほぼ連続する意匠面を形成している。また、各化粧縦材４や巾木７３、上見切８２は、いずれも化粧パネル９に若干ラップして配置されて化粧パネル９と連続した意匠面を形成するため、化粧壁体１で優れた美観が得られる。
【００３０】
図１、図２に示す化粧壁体１を施工するには、まず、巾木ユニット７を組み立て、次いで化粧パネル９を施工した後、上見切ユニット８を組み立てて各化粧パネル９の上端を壁面１０に押さえ込む。縦枠２、３や化粧縦材４の施工タイミングは、壁面１０あるいは化粧パネル９に対する縦枠２、３や化粧縦材４の具体的固定構造に対応して適宜決めることができる。
ここで、化粧パネル９は、巾木ユニット７の巾木７３と壁面１０との間の差し込み溝７８（図２参照）に下端部を上方から差し込んで、壁面１０を覆うようにして据え付けられる。したがい、上見切ユニット８の施工、上見切ユニット８の取り付け部品８１の押さえ片８３による化粧パネル９上端の壁面１０への押さえ込み作業等の作業を、巾木７３の押さえ片７３ｃによって化粧パネル９を壁面１０に押え付けた状態で行うことができ、作業性を向上できる。
【００３１】
図９、図１０（ａ）、（ｂ）は、不陸によって床面１５ａとこの床面１５ａに比べて低い床面１５ｂとが存在する場合に、床面１５ａ、１５ｂの高さの差Δｄを、巾木ユニット７の巾木台座７１の変形によって吸収した状態を示す。図１０（ａ）は図９のＡ−Ａ線断面矢視図、図１０（ｂ）は図９のＢ−Ｂ線断面矢視図である。
上部受け部品７２の壁面１０に対する固定位置は壁面１０の横方向のどの位置でも、床面１５ｂの不陸に関係無く高さ一定であり、巾木７３も床面１５ｂの不陸に関係無く、高さ一定でほぼ水平方向に延在させて設けられる。
一方、巾木台座７１は、湾曲変形させて、ほぼ長手方向全長にわたって当接片７１ｃを床面１５ｂに追従、当接させている。巾木台座７１は、変形容易な変形部７１ｅによって固定板部７１ａの曲げ耐力が低下されているため、変形部７１ｅが無い場合に比べて、床面１５ｂの不陸に追従させる巾木台座７１の曲げ変形が格段に容易になる。また、巾木台座７１の壁面１０に対する高さ方向の取り付け位置には、床面１５ａ、１５ｂの高さの差に対応してΔｄの差がある。
【００３２】
巾木台座７１の壁面１０に対する高さ方向の取り付け位置によって、該巾木台座７１から上方に突出されている差し込み片７１ｂの巾木７３の差し込み溝７３ａに対する差し込み量が決まるようになっている。巾木台座７１の壁面１０に対する高さ方向の取り付け位置は、巾木７３の差し込み溝７３ａに対する差し込み片７１ｂの挿入嵌合状態を維持できる範囲で可能であり、数ｍｍ〜十数ｍｍ程度の調整が可能である。
湾曲させずに直線状に横方向に延在配置される巾木７３に対して、床面の不陸等に対応させて湾曲させる巾木台座７１は、壁面１０への高さ方向の取り付け位置が、巾木７３の差し込み溝７１ａの最奥部（上端）に差し込み片７１ｂの先端が突き当たる位置、又は、前記差し込み片７１ｂの前記固定板部７１ａからの立ち上げ部７１ｇが巾木７３の差し込み溝７３ａ下端の開口部の周囲に当接する位置の低い方を上限として、巾木７３が傾かないように湾曲変形させる。
床面が低いところでは、差し込み溝７１ａに対する差し込み片の差し込み量が少なくなるが、巾木７３下端の延長部７３ｄがビス７４や変形部７１ｅ等を外側側から覆うようになっているため美観を確保できる。
【００３３】
（巾木台座の別態様）
図１１（ａ）、（ｂ）、図１２（ａ）、（ｂ）は巾木台座の別態様を示す。
図１１（ａ）、（ｂ）の巾木台座７１１は、固定板部７１ａの断面長手方向中央部（図１１（ａ）上下方向中央部）にて前記固定板部７１ａに多数形成されたスリット７１１ａによって変形容易になっている変形部７１１ｂが、該巾木台座７１１の長手方向全長にわたって延在されたものである。各スリット７１１ａは、巾木台座７１１の長手方向に沿って延在している。
図１２（ａ）、（ｂ）の巾木台座７１２は、固定板部７１ａの断面長手方向中央部（図１２（ａ）上下方向中央部）にて前記固定板部７１ａに多数形成された小孔７１２ａによって変形容易になっている変形部７１２ｂが、該巾木台座７１２の長手方向全長にわたって延在されたものである。
図１１（ａ）、（ｂ）、図１２（ａ）、（ｂ）のいずれの巾木台座７１１、７１２も、図３（ａ）、（ｂ）等に記載の巾木台座７１との相違点は変形部７１１ｂ、７１２ｂのみであり、差し込み片７１ｂや当接片７１ｃは、巾木台座７１と同様になっている。また、この巾木台座７１１、７１２は、ビス等の固定部品７４を変形部７１ｅを貫通させて壁面１０に打ち込むことで、壁面１０に固定される。
【００３４】
図１１（ａ）、（ｂ）に示す巾木台座７１１では、多数のスリット７１１ａが固定板部７１ａの断面長手方向に多段に配置され、しかも千鳥状に配置されているため、変形部７１１ｂの長手方向のどこでも、ほぼ均等の曲げ特性が得られる。また、各スリット７１１ａの長さを調整することで、変形部７１１ｂの曲げ強度を容易に調整できる。
図１２（ａ）、（ｂ）に示す巾木台座７１２の変形部７１２ｂでも、巾木台座７１２の長手方向に沿った方向の断面二次モーメントが低くなっており、床面の凹凸に対応できる。
また、巾木台座７１２の長手方向に直交する断面での断面二次モーメントも小さくなっているため、これにより壁面１０の凹凸等にも対応できるといった利点がある。このことは、図３（ａ）、（ｂ）に示す巾木台座７１についても共通である。
【００３５】
固定板部における変形部の形成位置は、巾木台座を壁面に固定する固定部品の打ち込み位置を必ず含む位置である必要は無く、固定部品の打ち込み位置から当接片側にズレた位置であっても良い。この場合も、変形部の変形によって、床面の凹凸や不陸に対する当接片の追従性を確保できる。
【００３６】
なお、本発明は、前記実施の形態に限定されず、例えば巾木台座や上部受け部品等の具体的形状等は適宜設計変更可能であるなど、各種変更が可能であることは言うまでも無い。
また、巾木台座の取り付け部品の固定板部を壁面に固定する固定手段としては、釘やビス等の固定部品に限定されず、例えば、固定板部を壁面に接着固定する接着剤、壁面側に露出された金属部材への溶接、融接、壁面側に設けられて前記固定板部が嵌合固定される嵌合受け部等、各種構成が採用可能である。但し、固定手段の構成や、固定板部において壁面に固定される固定箇所の位置等は、変形部による当接片の床面に対する追従性を損なわないようにする。
【００３７】
【発明の効果】
以上説明したように、本発明の巾木の固定構造によれば、床面に当接させる当接片を有する巾木台座の、壁面に固定される固定板部に、該固定板部に形成された穴やスリットによって変形容易になっている変形部を有しており、この変形部の変形によって、床面の凹凸や不陸に対応して当接片を前記床面に対して当接させることができるから、床面との間に隙間が形成されることを防止でき、優れた美観が容易に得られるといった優れた効果を奏する。
また、巾木台座全体を軟質樹脂等によって形成しなくても、変形部の形成によって床面の凹凸や不陸に対応できることから、巾木台座を前記軟質樹脂よりも比較的硬質の材料によって形成することが可能になり、硬質樹脂等の化粧性に優れた素材を用いて化粧性を向上することが可能になるといった利点もある。また、巾木台座を合成樹脂による一体成形品とすることで、成形が簡単になり、しかも低コスト化できるといった利点もある。
【図面の簡単な説明】
【図１】  本発明の１実施の形態の化粧壁体を示す正面図である。
【図２】  図１の化粧壁体を示す側断面図である。
【図３】  （ａ）は図１の化粧壁体の巾木ユニットの巾木台座を示す側面図、（ｂ）は正面図である。
【図４】  巾木ユニットの組み立て方法を示す図であって、巾木が巾木台座に嵌合され、上部受け部品には嵌合されていない状態を示す断面図である。
【図５】  図１の化粧壁体の上見切ユニットを示す断面図である。
【図６】  （ａ）は図５の上見切ユニットの取り付け部品を示す側面図、（ｂ）は（ａ）の取り付け部品の壁面に対する固定状態を示す斜視図である。
【図７】  図１の化粧壁体において、壁の出隅の両側の巾木ユニットの巾木同士を接続する化粧縦材を示す平断面図である。
【図８】  図１の化粧壁体の壁の出隅付近を示す斜視図であって、出隅の両側の巾木同士を接続する化粧縦材の化粧縦材と、化粧パネル間の接合部を覆う化粧縦材との関係を示す斜視図である。
【図９】  図１の巾木ユニットの、床面の凹凸や不陸に対応させた施工状態を示す正面図である。
【図１０】  床面の凹凸や不陸に対応させて巾木ユニットを壁面に組み立てた状態を示す断面図であって、（ａ）は図９のＡ−Ａ線断面矢視図、（ｂ）図９のＢ−Ｂ線断面矢視図を示す。
【図１１】  別態様の巾木台座を示す図であって、（ａ）は側面図、（ｂ）は正面図である。
【図１２】  別態様の巾木台座を示す図であって、（ａ）は側面図、（ｂ）は正面図である。
【符号の説明】
７…巾木ユニット、１０…壁面、１５…床、１５ａ，１５ｂ…床面、７１…巾木台座（取り付け部品）、７１ａ…固定板部、７１ｂ…巾木固定部，差し込み片、７１ｃ…当接片、７１ｄ…穴（長穴）、７１ｅ…変形部、７２…上部受け部品、７３…巾木、７３ａ…差し込み溝、７３ｂ…嵌合部（嵌合溝）、７４…固定手段（固定部品、ビス）、７１１…巾木台座、７１１ａ…スリット、７１１ｂ…変形部、７１２…巾木台座、７１２ａ…穴、７１２ｂ…変形部。
【図１】
0004611571.tif 000002
【図２】
0004611571.tif 000003
【図３】
0004611571.tif 000004
【図４】
0004611571.tif 000005
【図５】
0004611571.tif 000006
【図６】
0004611571.tif 000007
【図７】
0004611571.tif 000008
【図８】
0004611571.tif 000009
【図９】
0004611571.tif 000010
【図１０】
0004611571.tif 000011
【図１１】
0004611571.tif 000012
【図１２】
0004611571.tif 000013